(57)【要約】【課題】本発明は、シート状物の両側端部を棒状体に巻装させた状態に重ね合わせ、この重ね合わせ部分を安定的に且つ正確に融着一体化することができるシール装置を提供する。【解決手段】本発明のシール装置は、並設した直状棒状体間にシート状物Ａを張設するための装置であって、機台１の両側枠部間に配設されて、シート状物Ａを載置させる台板２と、この台板２の両外側端に沿って配設されて、該台板から外側方に延出する上記シート状物の両側部とこの両側部上に載置される上記棒状体Ｂとを保持するための保持部３、４と、この保持部３、４から外側方に突出する上記シート状物の両側端部を上記保持部に保持された上記棒状体Ｂを支点として上方から内側方に折り返して棒状体から内側方のシート状物の両側部上に重ね合わせられたシート部分を全長に亘って溶着して上記棒状体に巻装した筒状部に形成する溶接手段６とからなる。【選択図】    図３
2004202881.tif 000002
【特許請求の範囲】
【請求項１】
所定間隔を存して並設した断面円形の直状棒状体間にシート状物を張設するための装置であって、機台の両側枠部間に配設されて、シート状物を展開状態で載置させる台板と、この台板の両外側端に沿って配設されて、該台板から外側方に延出する上記シート状物の両側部とこの両側部上に載置される上記棒状体とを保持するための保持部と、この保持部から外側方に突出する上記シート状物の両側端部を上記保持部に保持された上記棒状体を支点として上方から内側方に折り返して棒状体から内側方のシート状物の両側部上に重ね合わせられたシート部分を全長に亘って溶着して上記棒状体に巻装した筒状部に形成する溶接手段とからなることを特徴とするシール装置。
【請求項２】
保持部から外側方に突出する上記シート状物の両側端部を上記保持部に保持された上記棒状体を支点として上方から内側方に折り返して棒状体から内側方のシート状物の両側部上に重ね合わせるシート状物折り返し機構を備えていることを特徴とする請求項１に記載のシール装置。
【請求項３】
台板は前後方向に長い平面長方形状の固定台板部と、この固定台板部に幅方向に移動自在に重ね合わせている前後方向に長い平面長方形状の可動台板部とから形成していると共に、これらの固定台板部と可動台板部との外側端を互いに平行に配設した両側の支持フレームにそれぞれ一体に固着してあり、さらに、両側の支持フレーム間を幅調整機構によって拡縮させて上記固定台板部と可動台板部とからなるシート載置面の幅を調整するように構成していることを特徴とする請求項１又は請求項２に記載のシール装置。
【請求項４】
幅調整機構は、機台の一側枠部における長さ方向の中間部から他側枠部に向かって突設している水平軸筒体と、他側枠部に基端部を回転自在に挿通、支持され且つ先端部を上記水平軸筒部に回転自在に支持させている螺子棒と、螺子棒に螺合しているナット体と、他側枠部から外側方に突出した該螺子棒の基端に一体に取付けているハンドル体とからなり、上記水平軸筒体にシート状物を載置する台板における固定台板部の支持フレームを固着する一方、上記螺子棒に螺合しているナット体に上記台板における可動台板部の支持フレームを固定して上記ハンドル体の回動操作により固定台板部の支持フレームに対して可動台板部の支持フレームを台板の幅方向に移動させるように構成していることを特徴とする請求項１乃至請求項３の何れか１項に記載のシール装置。
【請求項５】
棒状体を保持する保持部は、両側の支持フレームの外側端縁に沿って互いに平行に設けられていることを特徴とする請求項１乃至請求項４の何れか１項に記載のシール装置。
【請求項６】
両側支持フレームの前後両端にブラケット体を固着し、これらのブラケット体にシリンダとこのシリンダによって内外方向に移動する押接部材とからなる棒状体押さえ機構を配設して、押接部材を支持部から前後方向に突出する棒状体の突出端部の内側面に押し付けるように構成していることを特徴とする請求項１乃至請求項５の何れか１項に記載のシール装置。
【請求項７】
シート折り返し機構は、支持フレームの前後両側に固着しているブラケット体に基台の幅方向に往復回動自在に支持されたアーム部材と、これらの前後アーム部材の先端間に両端を固定しているシート折り返し用バーと、アーム部材を往復回動させる駆動モータとから構成していることを特徴とする請求項２に記載のシール装置。
【請求項８】
シート溶接手段は、固定台板部側で折り返されているシート状物の折り返し部を該固定台板部側の保持部の内側に沿って溶着する固定側溶接部と、可動台板部側で折り返されているシート状物の折り返し部を該可動台板部側の保持部の内側に沿って溶着する可動側溶接部とからなり、これらの固定側及び可動側の溶接部は機台の上方の固定支持枠部上に配設したシリンダによってそれぞれ上下動させられると共に、可動側溶接部は可動台板部の幅方向の移動量に応じて同一方向に移動調整可能に構成されていることを特徴とする請求項１乃至請求項７の何れか１項に記載のシール装置。
【請求項９】
可動側溶接部の移動調整機構は、長さ方向を機台の幅方向に向けてその先端部をシリンダのロッド下端に装着している軸受部材に回転自在に支持させている螺子棒と、この螺子棒の基端に取付けているハンドル体と、該螺子棒の回転により螺子棒の長さ方向に移動する取付部材とからなり、この取付部材の下面に可動側溶接部を装着していることを特徴とする請求項８に記載のシール装置。
【発明の詳細な説明】
【０００１】
【発明の属する技術分野】
本発明は、シート状物の両側端部を棒状体を巻装した筒状に形成することができるシール装置に関する。
【０００２】
【従来の技術】
従来から、街角に立設させる立て看板Ｃとして、図９に示したように、四本の支柱を矩形枠状に組み合わせ、この矩形枠内に軟質合成樹脂からなるシート状物を張設してなるものが汎用されている。
【０００３】
この立て看板の製造方法は以下の要領で製造される。即ち、図１０に示したように、四隅部を切除してなる平面略縦長長方形状のシート状物A'の前後端部を筒状にシート状物上に折り返し、この折り返し端部をシート状物に融着一体化させて前後筒状部を形成する。
【０００４】
次に、上記シート状物を水平で且つ平坦な台板上に載置し、台板上に載置されたシート状物の両側端部上に一対の棒状体を載置した後、シート状物の両側端部を棒状体を支点にして上方から棒状体の内側のシート状物上に重ね合わせ、これら重ね合わせ部分を前後方向に指向したシールバーにより全長に亘って融着一体化させることによって、棒状体に巻装させた筒状部を形成する。
【０００５】
しかる後、上記合成樹脂シートの前後筒状部の夫々に棒状体を挿通させると共に互いに隣接する棒状体の対向端部同士を任意の方法で接続一体化させることによって上記立て看板を製造している。
【０００６】
しかしながら、上記シート状物の両側端部を棒状体に巻装させた状態に棒状体の内側方のシート状物上に重ね合わせるに際し、シート状物及び棒状体を共に平坦な台板上に載置させていることから、棒状体をシート状物上の所定位置に安定的に載置させることができず、よって、シート状物の両側端部を棒状体に巻装させた状態に安定的に筒状に形成することができないといった問題点があった。
【０００７】
【発明が解決しようとする課題】
本発明は、シート状物の両側端部を棒状体に巻装させた状態に棒状体の内側方のシート状物上に上方から内側方に折り返してシート状物上に重ね合わせ、この重ね合わせ部分を安定的に且つ正確に融着一体化することができるシール装置を提供する。
【０００８】
【課題を解決するための手段】
上記目的を達成するために、本発明のシール装置は、請求項１に記載したように、所定間隔を存して並設した断面円形の直状棒状体間にシート状物を張設するための装置であって、機台の両側枠部間に配設されて、シート状物を展開状態で載置させる台板と、この台板の両外側端に沿って配設されて、該台板から外側方に延出する上記シート状物の両側部とこの両側部上に載置される上記棒状体とを保持するための保持部と、この保持部から外側方に突出する上記シート状物の両側端部を上記保持部に保持された上記棒状体を支点として上方から内側方に折り返して棒状体から内側方のシート状物の両側部上に重ね合わせられたシート部分を全長に亘って溶着して上記棒状体に巻装した筒状部に形成する溶接手段とからなることを特徴とする。
【０００９】
このように構成したシール装置において、請求項２に係る発明は、保持部から外側方に突出する上記シート状物の両側端部を上記保持部に保持された上記棒状体を支点として上方から内側方に折り返して棒状体から内側方のシート状物の両側部上に重ね合わせるシート状物折り返し機構を備えていることを特徴とする。
【００１０】
更に、上記シール装置において、請求項３に係る発明は、シート状物を載置させる上記台板を前後方向に長い平面長方形状の固定台板部と、この固定台板部に幅方向に移動自在に重ね合わせている前後方向に長い平面長方形状の可動台板部とから形成すると共に、これらの固定台板部と可動台板部との外側端を互いに平行に配設した両側の支持フレームにそれぞれ一体に固着し、さらに、両側の支持フレーム間を幅調整機構によって拡縮させて上記固定台板部と可動台板部とからなるシート載置面の幅を調整するように構成している。
【００１１】
また、上記幅調整機構は、請求項４に記載したように、機台の一側枠部における長さ方向の中間部から他側枠部に向かって突設している水平軸筒体と、他側枠部に基端部を回転自在に挿通、支持され且つ先端部を上記水平軸筒部に回転自在に支持させている螺子棒と、螺子棒に螺合しているナット体と、他側枠部から外側方に突出した該螺子棒の基端に一体に取付けているハンドル体とからなり、上記水平軸筒体にシート状物を載置する台板における固定台板部の支持フレームを固着する一方、上記螺子棒に螺合しているナット体に上記台板における可動台板部の支持フレームを固定して上記ハンドル体の回動操作により固定台板部の支持フレームに対して可動台板部の支持フレームを台板の幅方向に移動させるように構成していることを特徴とする。
【００１２】
請求項５に係る発明は、棒状体を保持する保持部は、両側の支持フレームの外側端縁に沿って互いに平行に設けられていることを特徴とする。
【００１３】
さらに、請求項６に係る発明は、両側支持フレームの前後両端にブラケット体を固着し、これらのブラケット体にシリンダとこのシリンダによって内外方向に移動する押接部材とからなる棒状体押さえ機構を配設して、押接部材を支持部から前後方向に突出する棒状体の突出端部の内側面に押し付けるように構成していることを特徴とする。
【００１４】
請求項７に係る発明は、上記シート状物の両側部折り返し機構の構造であって、上記支持フレームの前後両側に固着しているブラケット体に機台の幅方向にに往復回動自在に支持されたアーム部材と、これらの前後アーム部材の先端間に両端を固定しているシート折り返し用バーと、アーム部材を往復回動させる駆動モータとから構成している。
【００１５】
一方、請求項８に係る発明は、上記シート状物の折り重ね部分の溶接手段であって、上記固定台板部側で折り返されているシート状物の折り返し部を該固定台板部側の棒状体保持部の内側に沿って溶着する固定側溶接部と、可動台板部側で折り返されているシート状物の折り返し部を該可動台板部側の棒状体保持部の内側に沿って溶着する可動側溶接部とからなり、さらに、これらの固定側及び可動側の溶接部を機台の上方の固定支持枠部上に配設したシリンダによってそれぞれ上下動させると共に、可動側溶接部を可動台板部の幅方向の移動量に応じて同一方向に移動調整可能に構成している。
【００１６】
この可動側溶接部の移動調整機構は、請求項８に記載したように長さ方向を機台の幅方向に向けてその先端部をシリンダのロッド下端に装着している軸受部材に回転自在に支持させている螺子棒と、この螺子棒の基端に取付けているハンドル体と、該螺子棒の回転により螺子棒の長さ方向に移動する支持部材とからなり、この支持部材の下面に可動側溶接部を装着した構造を有している。
【００１７】
【作用】
台板上にシート状物を展開状態で載置し、その両側部を台板の両外側端に沿って配設している棒状体保持部上を越えて外側方に延出させた状態に配設したのち、断面円形の直状棒状体を、その長さ方向を台板の長さ方向に向けた状態にして上記両側の保持部上を被覆しているシート状物の両側部上にそれぞれ載置し、これらの直状棒状体を下方に向かって押圧することにより、シート状物の両側部を保持部内に押し込むと共に押し込まれたシート部分を介して直状棒状体を保持部内に嵌め込んだ状態にする。
【００１８】
しかるのち、上記両側の保持部から外側方に突出しているシート状物の両側端部を保持部内に保持された上記直状棒状体を支点として該棒状体回りに折り返し、その折り返し端部を保持部の内側における台板の両側端部上のシート部分に重ね合わせる。この際、シート状物の折り返し支点部は、保持部と断面円形の棒状体の下周面とで挟持されているので、台板の幅方向に妄動するようなことはなく、シート状物の両側部の所定部分に棒状体を互いに平行に配設状態で該棒状体回りにシート状物の両側部を正確に且つ円滑に折り返すことができる。
【００１９】
こうしてシート状物の両側部を折り返して台板の両側端部上のシート部分に重ね合わせたのち、その重ね合わせ部分を棒状体の内側に沿って溶接手段により全長に亘り溶着すると、棒状体回りに折り返されたシート部分が筒状部に形成され、この筒状部に棒状体が挿通、支持され且つ筒状部間に広告、宣伝用シート状物を張設してなる看板が得られる。
【００２０】
このシール装置において、上記台板の幅を調整可能に構成しておくと共にその幅調整に同調して両側の棒状体保持部間の間隔を変化させ、さらに、台板の上方に配設した溶接手段の両側溶着部間の間隔を調整可能に構成しておくことにより、シート状物の幅寸法に応じた大きさを有する看板を正確に且つ能率良く製造することができる。
【００２１】
【発明の実施の形態】
本発明の具体的な実施の形態を図面に基づいて説明すると、図１乃至図３において、１は前後方向に長い一定高さを有する平面長方形状の機台であって、その上端部において左右に一定の間隔を存して互いに平行に配設している両側水平枠部1a、1b間に、熱溶着が可能な合成樹脂製のシート状物Ａを展開状態にして載置させる前後方向に長い平面長方形状の台板２を水平状に配設していると共に、この台板２の両外側方に、上記シート状物Ａの両側部に取付けて該シート状物Ａと共に看板を構成するための棒状体Ｂ、Ｂを保持する保持部３、４を互いに平行にして配設している。
【００２２】
さらに、上記台板２上にシート状物Ａを載置した時に、上記両側の保持部３、４から外側方に突出する該シート状物Ａの両側端部を保持部３、４に保持された棒状体Ｂ、Ｂを支点として、この棒状体Ｂ、Ｂを乗り越えて内方に折り返すための折り返し機構５、５を配設していると共に、上記台板２の上方側に、上記折り返し機構５、５によって棒状体Ｂ、Ｂの内側のシート状物の両側部上に重ね合わせされた部分を全長に亘て溶着するための溶接手段６を配設している。
【００２３】
上記台板２は、図４及び図５に示したように、前後方向に長い平面長方形状の固定台板部2Aと、この固定台板部2Aに幅方向に移動自在に重ね合わせている前後方向に長い平面長方形状の可動台板部2Bとから形成されてあり、これらの固定台板部2Aと可動台板部2Bとの外側端に側面横長長方形状の剛性板からなる支持フレーム7A、7Bの上端部をそれぞれ一体に固着し、これらの支持フレーム7A、7Bを互いに平行に対向させた状態で機台１の両側水平枠部1a、1b間に配設している幅調整機構８により、固定側の支持フレーム7Aに対して可動側の支持フレーム7Bを内外方向に平行移動させて上記固定台板部2Aと可動台板部2Bとからなるシート載置面の幅を調整するように構成している。
【００２４】
この幅調整機構８は、図４及び図５に示したように、上記機台１の両側水平枠部1a、1bにおける長さ方向の中間部間に配設されているもので、基端部が一側枠部1aに固着されていてこの一側枠部1aの内側面から他側枠部1bに向かって機台１の幅方向に突設している水平軸筒体8aと、基端部が他側枠部1bの長さ方向の中間部を幅方向に貫通して該中間部に回転自在に支持され且つ先端部を上記水平軸筒体8aに回転自在に挿入、支持させている螺子棒8bとを備えてあり、上記水平軸筒体8aの長さ方向の中間部に上記固定台板部2Aの支持フレーム7Aにおける長さ方向の中央部を固着している一方、上記螺子棒8bに螺合しているナット体8cに上記可動台板部2Bの支持フレーム7Bを固定して他側枠部1bから外側方に突出している上記螺子部8bの突出端に固着したハンドル体8dを回転操作することにより、可動台板部2Bの支持フレーム7Bを機台１の幅方向に移動させ、固定台板部2Aと可動台板部2Bとの重ね代を大小に変化させてシート載置面の幅調整を行うように構成している。
【００２５】
なお、螺子棒8bの回転操作によって可動台板部2Bの支持フレーム7Bを固定台板部2Aの支持フレーム7Aに対して幅方向に円滑に平行移動可能にするために、機台１の両側水平枠部1a、1bにおける長さ方向の前後部間にガイドバー8e、8eを固着し、これらの前後ガイドバー8e、8eに沿って可動台板部2Bの支持フレーム7Aの前後端部を機台１の幅方向に移動させるようにしている。
【００２６】
また、台板２の両外側方、即ち、上記固定台板部2Aの支持フレーム7Aと可動台板部2Bの支持フレーム7Bとの上端部外側面には、支持フレーム7A、7Bの全長に亘って棒状体Ｂ、Ｂの下周部を受け入れて該棒状体Ｂ、Ｂを互いに一定の間隔を存した状態で平行に保持する上記保持部３、４が設けられている。これらの保持部３、４は、図４に示すように、棒状体Ｂの下周部を受止する凹円弧状に湾曲した保持面3a、4aを有する樋形状に形成されている。そして、この保持部３、４内に棒状体Ｂ、Ｂを支持した状態では、棒状体Ｂ、Ｂの上端面が台板２の上面と略同一水平面上に位置するように構成されている。
【００２７】
さらに、図２及び図６に示したように、上記固定台板部2Aと可動台板部2Bとの支持フレーム7A、7Bの前後両端面には、これらの支持フレーム7A、7Bを延長する方向に側面Ｌ字状のブラケット体9a、9bをそれぞれ固着すると共に、これらの各ブラケット体9a、9b上にシリンダ10a とこのシリンダ10a のピストンロッドに一体に連結されて内外方向、即ち、機台１の幅方向に往復動する押接部材10b とからなる棒状体押さえ機構10を配設してあり、これらの前後棒状体押さえ機構10の押接部材10b をシリンダ10a の作動によって外側方に移動させることにより、その先端面を棒状体保持部３、４の前後端から前後方向に突出する棒状体Ｂの突出端部の内側面に押しつけて棒状体Ｂが妄動するのを防止するように構成している。
【００２８】
また、上記各ブラケット体9a、9bにおける上記棒状体押さえ機構10の配設部よりも外方起立部にアーム部材5aの基端部を回動自在に軸支していると共に前後ブラケット体9a、9bに配設されたこれらの前後アーム部材5a、5aの先端間に上記棒状体保持部３、４に平行に直状のシート折り返し用バー5bを配設してこのバー11b の長さ方向の前後両端部を前後アーム部材5b、5bの先端部に固定してあり、さらに、前後いずれか一方のブラケット体9a、9bにアーム部材5aを噛合歯車機構等を介して回動させる駆動モータ5cを装着し、前後アーム部材5a、5aと、この前後アーム部材5a、5a間に架設状態で固定している上記シート折り返しバー5bと、この駆動モータ5cとによってシート折り返し機構５を構成している。
【００２９】
このシート折り返し機構５における上記前後アーム部材5a、5aの回動中心部は、図６及び図７に示したように、棒状体保持部３、４に嵌め込み状態で保持される棒状体Ｂの軸心延長方向に設けられていてアーム部材5a、5aの先端部は棒状体Ｂの軸心の延長線回り旋回動し、台板２上に載置されたシート状物Ａにおける両側の保持部３、４から外側方にはみ出している両側部分をシート折り返し用バー5b、5bによって持ち上げながら棒状体Ｂ回りに内方に折り返すように構成している。
【００３０】
一方、台板２の上方側に配設している上記シート溶接手段６は、シート状物Ａの両側部において、固定台板部2A側で折り返された一側折り返し部を該固定台板部2A側の棒状体保持部３の内側に沿って全長に亘って溶着する固定側溶接部6Aと、可動台板部2B側で折り返された他側折り返し部を該可動台板部2B側の棒状体保持部４の内側に沿って全長に亘って溶着する可動側溶接部6Bとからなり、これらの固定側溶接部6Aと可動側溶接部6Bは、上記機台１の中央部上方に配設している前後水平支持枠部1c、1dに装着されている。
【００３１】
詳しくは、前後水平支持枠部1c、1dにおける一側部に垂直ガイドロッド61、61を上下方向に進退自在に挿通、支持していると共にこれらの前後垂直ガイドロッド61、61の下端間に側面横長長方形状の連結部材62を連結、固定し、該連結部材62に上記固定側溶接部6Aの取付部材63を連結、支持させてこの取付部材63の下面から機台１の長さ方向に長い板状の上記固定側溶接部6Aを下方に向かって突設してあり、さらに、前後水平支持枠部1c、1dの一側部間にシリンダ設置板64を固着し、この設置板64の中央部にシリンダ65を装着して下方に向かって進退自在に突出している該シリンダ65のロッド端を上記連結部材62の中央部に連結、固定して該シリンダ65の作動により固定側溶接部6Aを上下動させるように構成している。
【００３２】
この場合、上記固定台板部2A側の棒状体保持部３は、機台１の一側水平枠部1aの内面から一定の幅間隔を存した所定位置に固定されているので、この棒状体保持部３側で折り返されるシート状物Ａの折り返し部分を溶着する上記固定側溶接部6Aは連結部材62に一体的に固定しておいてもよいが、この実施の形態においては、上記取付部材63を断面Ｕ字状に形成してその前後端部に取付部材63の長さ方向に直交した軸体66、66を固着し、この前後軸体66、66を連結部材62の前後端部に摺動、固定自在に貫通、支持させて固定側溶接部6Aによる溶着部を幅方向に微調整可能に構成している。
【００３３】
一方、上記前後支持枠部1c、1dにおける他側部においても垂直ガイドロッド61’、61’を上下方向に進退自在に挿通、支持していると共にこれらの前後垂直ガイドロッド61' 、61' の下端間に側面横長長方形状の連結部材62' を固定し、この連結部材62' に上記可動側溶接部6Bの幅方向移動調整機構12を介して下面に機台１の長さ方向に長い板状の上記可動側溶接部6Bを下方に向かって突設している断面Ｕ字状の可動取付部材63' を支持させている。
【００３４】
さらに、上記前後水平支持枠部1c、1dの他側部間にもシリンダ設置板64' が固着されてあり、この設置板64' の中央部にシリンダ65' を装着して下方に向かって進退自在に突出している該シリンダ65' のロッド端を上記連結部材62'の中央部に連結、固定して該シリンダ65' の作動により可動側溶接部6Bを上下動させるように構成している。
【００３５】
この可動側溶接部6Bの上記幅方向移動調整機構12は、取付部材63' の前後両端部をガイドピン12a 、12a によって連結部材62' の前後両端部に幅方向に移動可能に支持させていると共に、連結部材62' の長さ方向の中央部に軸受部材12b を固定して、長さ方向を機台１の幅方向に向けている螺子棒12c の先端部をこの軸受部材12b に回転自在に支持させ、さらに、上記螺子棒12c に上記取付部材63' の長さ方向の中央部に形成している螺子孔12d を螺合させ、螺子棒12c の基端に取付けているハンドル体12e を操作することによって可動側溶接部6Bを螺子棒12c の長さ方向に沿って機台１の幅方向に移動させるように構成している。
【００３６】
なお、固定側溶接部6Aや可動側溶接部6Bを上下移動自在に配設している上記前後水平支持枠部1c、1dは、機台１の一側部に立設、固定している支柱部材1dの上端にその一側端を一体に固着して、機台１上の上記台板２から一定高さを存した位置に配設されているものである。
【００３７】
次に、このように構成したシール装置によって、例として、広告用シート状物Ａの両側端部に棒状体Ｂ、Ｂを取付けてなる看板の製造手順を述べる。まず、看板のシート幅に応じてシート状物Ａを載置させる台板２の幅を調整すると共に、この幅に応じて溶接手段６における可動側溶接部6Bの溶接位置調整を行う。
【００３８】
台板２の幅調整は、この台板２を構成している固定台板部2Aと可動台板部2Bとの外側端をそれぞれ一体に固着させている両側支持フレーム7A、7B間の間隔を調整することによって行われる。即ち、機台１の水平枠部1bに回転自在に支持されている螺子棒8bをハンドル体8dによって回転させると、この螺子棒8b上に螺合しているナット体8cを備えた支持フレーム7Bが螺子棒8bに沿って幅方向に平行移動して固定側支持フレーム7Aとの間隔が変化し、従って、固定台板部2Aと可動台板部2Bとの重ね代が変化して上方に露出するこれらの固定台板部2Aと可動台板部2Bとによるシート載置面の幅調整が行われる。
【００３９】
同様に、台板２の上方に配設している可動側溶接部6Bを幅方向調整機構12によって上記可動側溶接部6Bの移動方向に横移動させることにより、所定の溶接位置に配置させる。即ち、ハンドル体12e を回転操作すると、可動側溶接部6Bを取付ている取付部材63' が螺子棒12c に沿って横移動するので、該可動側溶接部6Bを上記可動台板部2Bの上方における所定の位置に配置させる。
【００４０】
こうして、予め、看板のシート幅に応じて台板１の幅調整と溶接手段６による溶接位置調整を行っておいたのち、台板２上に該台板２の幅よりも広幅で且つ溶接手段６の溶接長さと同等又は該長さよりも短い長方形状のシート状物Ａを台板１上に展開状態で敷設、載置する。この際、該シート状物Ａの両側部を外側方に延出させて、固定台板部2Aと可動台板部2Bをそれぞれ内側方に向かって突設している上記両側の支持フレーム7A、7B上からこれらの支持フレーム7A、7Bの上端部外側面に一体に設けている樋形状の保持部３、４上を被覆し、さらに、両側保持部３、４の外側方において伏した状態にある両側シート折り返し機構５、５におけるシート折り返し用バー5b、5b上に掛け渡した状態にしておく。
【００４１】
しかるのち、シート状物Ａよりも長い硬質合成樹脂製円形パイプよりなる棒状体Ｂ、Ｂを、その長さ方向を台板２（保持部３、４）の長さ方向に向けた状態にして保持部３、４上を被覆している上記シート状物Ａの両側部上に載置し、これらの棒状体Ｂ、Ｂを下方に押圧することによって、シート状物Ａの両側部を棒状体Ｂ、Ｂの下周部と保持部３、４の凹円弧状保持面3a、4aとに沿って湾曲変形させながら保持部３、４内に没入させると共に、棒状体Ｂ、Ｂの下周部も保持部３、４内に嵌め込む。この状態においては、保持部３、４内で円弧状に湾曲したシート状物Ａの両側部は保持部３、４の保持面3a、4aと棒状体Ｂ、Ｂの半円状下周部とで挟着されていると共に、棒状体Ｂ、Ｂの上端面と台板２の上面とが略同一水平面上に位置した状態となっている。
【００４２】
次いで、両側支持フレーム7A、7Bの前後ブラケット体9a、9b内に設置している棒状体押さえ機構10のシリンダ10b をそのロッドが伸長する方向に作動させて該ロッドに一体に固着している押接部材10b の先端面を前後ブラケット体9a、9b内に突出している棒状体Ｂの前後突出端部における内側面に押し付けることにより、シート状物Ａの折り返し工程時等において該棒状体Ｂが保持部３、４内から浮き上がったり不測に妄動するのを阻止した状態にする。
【００４３】
この状態にして上記両側シート折り返し機構５、５の駆動モータ5c、5cを作動させてアーム部材5aを起立する方向に回動させると、これらの前後アーム部材5a、5aの先端間に固着しているシート折り返し用バー5b、5bが両側保持部３、４を中心として上方から内側方に旋回動し、これらのシート折り返し用バー5b、5bに掛け渡されているシート状物Ａの両側端部が保持部３、４に保持されている両側の棒状体Ｂ、Ｂを支点として棒状体Ｂ、Ｂ回りに折り返され、該折り返しシート部で棒状体Ｂ、Ｂを一巻き状に巻回した筒状部ａ、ａをそれぞれ形成しながら棒状体Ｂ、Ｂ上から内側方に突出する両側端部を台板２の両側端部上におけるシート部分上に重ね合わせる。
【００４４】
こうしてシート状物Ａの両側部を、両側保持部３、４内に下周部を嵌め込んでいる棒状体Ｂ、Ｂ回りに折り返してその両側端部を台板２の両側端部上のシート部分に重ね合わせたのち、シリンダ65、65' を作動させることによって溶接手段６の両側溶接部6A、6Bを降下させ、その溶接端縁をそれぞれ両側保持部３、５の内側端に沿って上記シート重ね合わせ部分に押し付けて該部分を全長に亘って溶着、一体化させることにより、棒状体Ｂ、Ｂを一巻き状に巻装しているシート状物Ａの両側部分で棒状体Ｂ、Ｂを挿通、支持している筒状部ａ、ａを形成する。この時、棒状体Ｂ、Ｂの上端面と台板２の上面とが略同一水平面上に位置していることから、両側溶接部6A、6Bを棒状体Ｂ、Ｂにできるだけ近いシート重ね合わせ部分に押し付けることができ、筒状部ａ、ａをその径が棒状体Ｂの径に略等しくなるように形成することができる。
【００４５】
両側溶接部6A、6Bによりシート状物Ａの重ね合わせ部分を一体に溶着したのち、これらの両側溶接部6A、6Bを元の位置まで上昇、復帰させると共に棒状体押さえ機構10の押接部材10b による棒状体Ｂの固定を解いて、棒状体Ｂ、Ｂを両側保持部３、４から上方に離脱させた後、駆動モータ5c、5cを作動させることによって上記シート折り返し用バー5b、5bを両側保持部３、４から外側方の元の位置まで復帰させると、これらの棒状体Ｂ、Ｂ間に一定幅のシート状物を張設してなる看板が得られるものである。なお、図示していないが、シート状物Ａには予め、広告、宣伝文や文字、図柄等が印刷されており、このシート状物Ａの両側部に上記装置を用いて棒状体Ｂ、Ｂを挿通、支持させた筒状部ａ、ａを形成することによって看板を製造するものである。
【００４６】
【発明の効果】
本発明の請求項１に係る看板製造装置によれば、所定間隔を存して並設した断面円形の直状棒状体間にシート状物を張設するための装置であって、機台の両側枠部間に配設されて、シート状物を展開状態で載置させる台板と、この台板の両外側端に沿って配設されて、該台板から外側方に延出する上記シート状物の両側部とこの両側部上に載置される上記棒状体とを保持するための保持部と、この保持部から外側方に突出する上記シート状物の両側端部を上記保持部に保持された上記棒状体を支点として上方から内側方に折り返して棒状体から内側方のシート状物の両側部上に重ね合わせられたシート部分を全長に亘って溶着して上記棒状体に巻装した筒状部に形成する溶接手段とからなることを特徴とするから、台板上に展開状態で載置したシート状物の両側部上に棒状体を配設する際に、これらの棒状体の配設位置を保持部によって常に正確に設定しておくことができると共に保持部に対する棒状体の配設作業も確実に且つ円滑に行うことができる。
【００４７】
さらに、棒状体を保持する上記保持部における棒状体の下周部を受止する内底面を凹円弧状に湾曲した保持面に形成して場合には、棒状体の下周部を該保持部内に押し込むことによってシート状物の両側部を該保持部の保持面に沿って湾曲させながらその湾曲部を該保持部の保持面と棒状体の下周部とによって確実に挟着させることができると共に、保持部内へのシート状物の両側部の押し込みによって台板上のシート状物部分が緊張して台板上へのシート状物載置時に発生している皺や歪みをなくすることができるものであり、その上、両側保持部から外側方に突出しているシート状物の両側端部を折り返し機構によって折り返す場合には、保持部内に保持された棒状体を支点として容易に且つ正確に折り返すことができる。
【００４８】
こうしてシート状物の両側部を折り返して台板の両側端部上のシート部分に重ね合わせたのち、その重ね合わせ部分を溶接手段によって棒状体の内側に沿って全長に亘り溶着することにより、棒状体回りに折り返されたシート部分で該棒状体に巻着している筒状部を形成することができ、この筒状部に棒状体を挿通、支持させている所定の広告用シート幅を有する看板を能率よく且つ正確に製造することができる。
【００４９】
また、シート状物を載置させる上記台板を前後方向に長い平面長方形状の固定台板部と、この固定台板部に幅方向に移動自在に重ね合わせている前後方向に長い平面長方形状の可動台板部とから形成すると共に、これらの固定台板部と可動台板部との外側端を互いに平行に配設した両側の支持フレームにそれぞれ一体に固着し、さらに、両側の支持フレーム間を幅調整機構によって拡縮させて上記固定台板部と可動台板部とからなるシート載置面の幅を調整するように構成しておくと共にこのシート載置面の幅調整に応じてシート状物の折り重ね部分を溶接する溶接部の位置を調整するように構成しておくことにより、両側棒状体間に張設されるシート幅の異なる看板を簡単に精度よく製造することができるものである。
【図面の簡単な説明】
【図１】本発明のシール装置を示した平面図である。
【図２】図１のシール装置を示した側面図である。
【図３】図１のシール装置を示した正面図である。
【図４】シール装置の台板部を示した断面図である。
【図５】図１のシール装置を示した正面図である。
【図６】シール装置の保持部を示した斜視図である。
【図７】シール装置の保持部を示した斜視図である。
【図８】シール装置の保持部を示した斜視図である。
【図９】看板を示した斜視図である。
【図１０】看板に用いられるシート状物を示した斜視図である。
【符号の説明】
１  機台
２  台板
2A  固定台板部
2B  可動台板部
３、４  保持部
５  折り返し機構
5a  アーム部材
5b  シート折り返し用バー
６  溶接手段
6A  固定側溶接部
6B  可動側溶接部
7A、7B  支持フレーム
８  幅調整機構
9a、9b  ブラケット体
10  棒状体押さえ機構
10b 押接部材
Ａ  シート状物
Ｂ  棒状体
【図１】
2004202881.tif 000003
【図２】
2004202881.tif 000004
【図３】
2004202881.tif 000005
【図４】
2004202881.tif 000006
【図５】
2004202881.tif 000007
【図６】
2004202881.tif 000008
【図７】
2004202881.tif 000009
【図８】
2004202881.tif 000010
【図９】
2004202881.tif 000011
【図１０】
2004202881.tif 000012